(57)【要約】【課題】  磯または防波堤などの釣方でコマセの遠投が出来るようにウキに乗せて運び遠投を可能とし、コマセを放出前と放出後とで全体の表面積を減らして小さい当たりの感度も良くしかも軽量であるコマセを遠投するウキと、ウキにネットを付帯したウキの製造方法を提供するものである。【解決手段】ウキ本体（１）の中心から下方部にかけて、ネット（２）をウキの底部中心の周囲を取り巻き弛ませて取り付ける、そしてネット（２）の端にそって２本の端糸（３）を網目に通し、またはネットを織って隙間を作りそこに通して取り付ける、またその端糸（３）の端をウキ本体（１）に取り付けた。【選択図】  図１
2006034283.tif 000002
【特許請求の範囲】
【請求項１】
ウキ本体（１）の中心から下方部にかけて、ネット（２）をウキの底部中心の周囲を取り巻き弛ませて取り付ける、そしてネット（２）の端にそって２本の端糸（３）を網目に通し、またはネットを織って隙間を作りそこに通して取り付ける、またその端糸（３）の端をウキ本体（１）に取り付けた構造のコマセを運ぶネットウキとネットの取り付け方法。
【請求項２】
折り曲げたバー（５）を、ウキ本体（１）にネットを取り付けた状態で折り曲がった曲線部分がネットの奥側に触れるようにウキ本体（１）に取り付ける、そして折り曲げたバー（５）の端に糸通しガイド部（１１）を形成する、またネット（２）に折り曲げたバー（５）を取り付ける、それはネット（２）の網目を通し、またはネット（２）に絡めて付けた、そしてネット（２）に付けた端糸（３）を糸通しガイド部（１１）に通した、請求項１のコマセを運ぶネットウキとネットの取り付け方法。
【請求項３】
超弾性合金線のバー（４）を、ウキ本体（１）にネットを取り付けた状態でウキ本体（１）の奥まった側に取り付ける、そして超弾性合金線のバー（４）の端に糸通しガイド部（１１）を形成する、またネット（２）に超弾性合金線のバー（４）を取り付ける、それはネット（２）の網目を通し、またはネット（２）に絡めて付けた、そしてネット（２）に付けた端糸（３）を糸通しガイド部（１１）に通した、請求項１のコマセを運ぶネットウキとネットの取り付け方法。
【請求項４】
２本の端糸（３）のうち一本の端糸（３）の代わりに弾力線のバー（２７）を取り付け、弾力線のバー（２７）の端に糸通しガイド部（１１）を形成し、そこに端糸（３）を通した、請求項１のコマセを運ぶネットウキとネットの取り付け方法。
【請求項５】
２本の端糸（３）の代わりに弾力線のバー（２７）を取り付け、その端を合わせて、そして係留部（２４）を形成した、請求項１のコマセを運ぶネットウキとネットの取り付け方法。
【請求項６】
ウキ本体（１）と取り付け具を別体とし、そこにネット（２）を挟み合体させ固定した、それはウキ本体（１）の中心から下方部に凹部（７）を形成し、そして挿入する取り付け具（６）を形成し、そこにネット（２）を挟み合体させ固定した、請求項１、請求項２、請求項３、請求項４、請求項５のコマセを運ぶネットウキとネットの取り付け方法。
【請求項７】
ウキ本体（１）の中心から下方部に凸部（１０）を形成し、そしてリング状取り付け具（９）を形成し、そこにネット（２）を挟み合体させ固定した、請求項１、請求項２、請求項３、請求項４、請求項５、請求項６のコマセを運ぶネットウキとネットの取り付け方法。
【発明の詳細な説明】
【技術分野】
【０００１】  この発明は、磯または防波堤などの釣方でコマセの遠投が出来るようにウキに乗せて運び遠投を可能とし、コマセを放出前と放出後とで全体の表面積を減らして小さい当たりの感度も良くしかも軽量である、コマセを遠投するウキと、ウキにネットを付帯したウキの製造方法に関するものである。
【背景技術】
【０００２】  従来、コマセなどを付け餌とともにポイントに運ぶ為に、カゴを仕掛けに付けて釣をした。カゴ釣ではこの釣方が主流である、この仕掛けを応用したものでカゴにウキをつけた、反転カゴウキなどがあった。
カゴ仕掛けではウキとして大事な感度が悪くなった。また合わせの瞬間などはカゴの重量と水中の移動抵抗で重く鈍重感があった、よって魚釣の楽しみの一つである合わせが楽しくなかった。
他の技術では、特許公開１０−２８５０２の針掛り援助付籠仕掛け、または実用新案公開の平０６−０８６４７８まき餌カゴ付浮き、などが記載され、また特許出願番号、特願２００４−２８０６０１のダンゴ遠投ウキ１と技術の共用部分がある。
【発明の開示】
【発明が解決しようとする課題】
【０００３】  金属製カゴまたはプラスチック製カゴそのもの、またはそれを付帯したウキはコマセを運ぶのに十分な容積を持っていたのでコマセ放出後もその容積を持ち続け表面積は変わらなかった、よって水中移動抵抗はコマセがカゴにある時でも、それを放出してからも変化はなかった。よって本発明ではコマセ放出後表面積を減らして水中移動抵抗を少なくすること。
本発明はコマセを遠投できるウキであって、カゴの代わりにネットで使えるようして
小型、軽量であり、コマセ放出後はネットがしぼみ水中移動抵抗が少なく、フカセウキに近い感度が望めて、合わせを楽しみながら釣ができること。
水中では、つけ餌とコマセが同調しやすく魚の食いを上げること。
コマセ放出後に魚の視界より遠ざかり魚の食いを上げること。
請求項２では、請求項１と同様の効果の他に、ネットを真っすぐに直す必要なくコマセを入れられること。
また、型枠としてコマセを入れ易くして、手返しを良くすること。
端糸の自由度を増してコマセを入れやすくすること。
請求項３では、請求項１と同様の効果の他に、超弾性合金線のバーは軽量である他に、弾力によってコマセ放出中から放出後はネットが真っ直ぐ伸びて水中移動抵抗を減らしレスポンスを良くして、魚の当たりが明確にでること。
端糸の自由度を増してコマセを入れやすくすること。
請求項４では、請求項１と同様の効果の他、弾力線のバーの弾力によってコマセ放出後はネットが真っ直ぐ伸びて水中移動抵抗を減らしレスポンスを良くして、魚の当たりが明確にでること。
柄杓を使用しなくともコマセが詰められることで、コマセを詰める際の手返しを良くすること。
また、コマセを詰める際、コマセによってほとんど手が汚れないこと。
請求項５では、請求項１と同様の効果の他、特にウキ感度を上げられること。
また柄杓を使用しなくともコマセを瞬時に詰められ手返しを良くすること。
また、コマセを詰める際、コマセによってほとんど手が汚れないこと。
請求項６では、ネットを付帯するウキにおいて、ネットを簡単な方法でウキに取り付けられること。そして難しい工程を簡単にして製造能力がアップして不良品も減らすこと。
請求項７では、請求項６と同じように、ネットを付帯するウキにおいて、ネットを簡単な方法でウキに取り付けられること。そして難しい工程を簡単にして製造能力がアップして不良品も減らすこと。
以上の課題を解決し尚且つ構造が簡単であること。
【課題を解決するための手段】
【０００４】本発明は上記課題を解決する為のもので、
請求項１では
ウキ本体（１）の中心から下方部にかけて、ネット（２）をウキの底部中心の周囲を取り巻き弛ませて取り付ける、そしてネット（２）の端にそって２本の端糸（３）を網目に通し、またはネットを織って隙間を作りそこに通して取り付ける、またその端糸（３）の端をウキ本体（１）に取り付けた。
請求項２では、
折り曲げたバー（５）を、ウキ本体（１）にネットを取り付けた状態で折り曲がった曲線部分がネットの奥側に触れるようにウキ本体（１）に取り付ける、そして折り曲げたバー（５）の端に糸通しガイド部（１１）を形成する、またネット（２）に折り曲げたバー（５）を取り付ける、それはネット（２）の網目を通し、またはネット（２）に絡めて付けた、そしてネット（２）に付けた端糸（３）を糸通しガイド部（１１）に通した。
請求項３では、
超弾性合金線のバー（４）を、ウキ本体（１）にネットを取り付けた状態でウキ本体（１）の奥まった側に取り付ける、そして超弾性合金線のバー（４）の端に糸通しガイド部（１１）を形成する、またネット（２）に超弾性合金線のバー（４）を取り付ける、それは、ネット（２）の網目を通し、またはネット（２）に絡めて付けた、そしてネット（２）に付けた端糸（３）を糸通しガイド部（１１）に通した。
請求項４では、
２本の端糸（３）のうち一本の端糸（３）の代わりに弾力線のバー（２７）を取り付け、弾力線のバー（２７）の端に糸通しガイド部（１１）を形成し、そこに端糸（３）を通した。
請求項５では、
２本の端糸（３）の代わりに弾力線のバー（２７）を取り付け、その端を合わせて、そして係留部（２４）を形成した。
請求項６では、
ウキ本体（１）と取り付け具を別体とし、そこにネット（２）を挟み合体させ固定した、それはウキ本体（１）の中心から下方部に凹部（７）を形成し、そして挿入する取り付け具（６）を形成し、そこにネット（２）を挟み合体させ固定した。
請求項７では、
ウキ本体（１）の中心から下方部に凸部（１０）を形成し、そしてリング状取り付け具（９）を形成し、そこにネット（２）を挟み合体させ固定した。
【発明の効果】
【０００５】  請求項１では、コマセを運べるウキであって、水中ではコマセ放出中に、つけ餌とコマセが同調しやすく、魚の食いを上げることができた。
コマセ放出後には魚の視界より遠ざかり魚の食いを上げることができた。
弛ませたネットなのでそこにコマセを挿入するときはネット内の容積が大きくなり、コマセ放出後は、ネットがしぼみ表面積が減り水中移動抵抗が減少できた。
また、ネット自体が軽量であるので、小型軽量のウキができた、しかも構造が簡単である。
よって魚にあまり違和感をあたえず魚のくい込みがよくなった。そして魚の引き、放した時の戻りが明確となりレスポンスがよくなり当たりがとりやすくなった。そして小型軽量なので感度も良なった。
よつてこのような機能を備えたウキであってもウキフカセ釣りに近い感覚で釣を楽しめるようになった。
請求項２では、請求項１と同様の効果の他に、ネットを真っ直ぐに直してからコマセを入れる必要がなくなった。
また、コマセの型枠としてコマセを入れ易くなったので、手返しが良くなった。
端糸の自由度が増してコマセが入れ易くなった。
請求項３では、請求項１と同様の効果の他に、ネットを真っ直ぐに直してからコマセを入れる必要がなくなった。
超弾性合金線のバーは軽量であって、その弾力によってコマセ放出後はネットが真っ直ぐ伸びて水中移動抵抗は少なく、軽量であるのでウキのレスポンスが良く、魚の当たりが明確にでた。
端糸の自由度が増してコマセが入れ易くなった。
請求項４では、請求項１と同様の効果の他、弾力線のバーの弾力によってコマセ放出後はネットが真っ直ぐ伸びて水中移動抵抗を減らしレスポンスを良くして、魚の当たりが明確にでた。
柄杓を使用しなくともコマセが詰められることで、コマセを詰める際の手返しが良くなった。また、コマセを詰める際、コマセによってほとんど手が汚れなくなった。
請求項５では、請求項１と同様の効果の他に、特にウキ感度が良く、また柄杓を使用しなくともコマセを瞬時に詰められて手返しが良くなった。
また、コマセを詰める際、コマセによってほとんど手が汚れなくなった。
請求項６では、ウキにネットを付帯させるウキで本発明を含み、上記記載のダンゴ遠投ウキ１のようなウキでもネットを簡単な方法でウキに取り付けられた。そして難しい工程が簡単になり製造能力がアップし不良品も減った。
請求項７では、請求項６と同じようにウキにネットを付帯させるウキで本発明を含み、上記記載のダンゴ遠投ウキ１のようなウキであってもネットを簡単な方法でウキに取り付けられた。そして難しい工程が簡単になり製造能力がアップし不良品も減った。
【発明を実施するための最良の形態】
【０００６】  以下、本発明の実施例について説明する。
請求項１では、
構造を  図１、図２、に示すように、ウキ本体（１）の中心から下方部にかけて、ネット（２）をウキの底部中心の周囲を取り巻き弛ませて取り付ける、そしてネット（２）の端にそって２本の端糸（３）を網目に通し、またはネットを織って隙間を作りそこに通して取り付ける、またその端糸（３）の端をウキ本体（１）に取り付けた。【０００７】試作品では、ネット（２）の網目のサイズはミンチにしたオキアミを運ぶそして放出できる程度の大きさに合わせたが、コマセの種類によって網目サイズを代えて使用する。そして材質は水を含みにくい合成樹脂を使用したが、他でも水を含みにくい繊維であれば、材質は問わない。また端糸（３）も同じように水を含みにくい材質を使用した。【０００８】  ウキ本体（１）の材質は、木製、合成樹脂製、発泡樹脂製、または中空とした金属で製作したが、他に浮力を有する材質であれば形状、材質は問わない。
ネット（２）のウキ本体（１）への取り付けは、ウキ本体（１）に直接取り付ける方法で代表的には、ウキ本体（１）の中心から下方部にかけてネットと端糸を糸で巻いて接着、その後パテで化粧した。【０００９】  図２１に示すように、端糸（３）はネット（２）の端にそって網目に通すほかに、ネットを織って隙間を作りそこに通して取り付けても同様の効果があります。【００１０】  端糸（３）を取り付ける場合に、端糸（３）と端糸（３）の隙間は、コマセがこぼれない程度であれば、隙間があっても取り扱い上問題はない。
図２２に示すように、端糸（３）の取り付けは、交差して取り付けても同様の効果があります。【００１１】  ウキの形状は、どんぐり型の他にも図２７で示す棒ウキでも実施できた。【００１２】  図２６に示すように、本発明の使用方法は一般には誘導式仕掛けで、仕掛けの順番は、
道糸に、上から上部ウキ止（１２）、シモリ玉（１３）、スナップ付スイベル（１４）、シモリ玉（１３）を順番に通して下部ウキ止め（１９）、そして２０センチくらい離してより戻し（１５）にハリス（１８）をつけて錘（１６）、そこから１．５メートル以上離して釣針（１７）を付ける。
道糸に通したスナップ付スイベル（１４）に本発明の端糸２本を揃えて結ぶ。
この結びかたは、ハリスにサルカン、またはルアーなどを結ぶ要領で行う、それは釣人であれば簡単なことである。
錘の設定は、錘の重量によってウキの上部がわずか水面に出るくらいに設定する。
以上の仕掛けを準備しておいて、本発明を使用するときは、釣針に付け餌をつけ、本発明の全体を手のひらにあげて、端糸（３）を開いてネット（２）にコマセを詰める、するとネット（２）は主に横方向に開き必要量が入る、それは弛ませてあるネットなのでそこにコマセを詰めるとネット内の容積が大きくなるためである。図１５にコマセを詰めた状態を示す。
コマセを詰め終わったら端糸（３）のスナップ付スイベル側またはスナップ付スイベルを持って引く、巾着袋のようになり、それで端糸（３）がネット（２）を締めてコマセは固定される、これでコマセを運べるウキとなる。そのあと道糸伝いに下部ウキ止めまでずらし、道糸を弛まぜないように釣竿を持っと、ウキ本体（１）は逆さまとなる、
そしてリールを投げの状態に設定し、投げるまたは振り込む。
着水すると、ネット（２）の網目よりコマセを放出する、棚に届く程度の道糸を送り出す、そして本発明は、錘（１６）とコマセの重さで沈降してゆく、そこで棚についたと思ったら釣竿をゆっくり大きくあおる、そこでコマセがまた放出され付け餌の周りまたは近くをそれが流れるので、つけ餌とコマセが同調しやすい、または上手になるとコマセとつけ餌は同調する。
当たりはこの時、道糸が張ってゆくようであれば、魚がつけ餌をくわえているので、合わせをすると掛かる。これはウキの浮力がほとんど無く水とウキの比重が近いため出る当たりです。道糸が張らないようであれば、再度、釣竿をゆっくり大きくあおるとコマセがまた放出され、上記したのと同じ要領となる。この後ネット（２）内のコマセはほとんど放出されて、軽くなって魚の視界より遠ざかり魚の食いを上げることができて本発明は水面に浮く、尚、コマセの質により釣竿のあおり回数は変化します。
本発明はコマセを放出するたびにしぼみ表面積がへるので、水面を漂う頃には、上部ウキ止（１２）がシモリ玉（１３）を介してスナップ付スイベル（１４）に当たりネット（２）が尖った形状となって、それと共に水中移動抵抗が減り、フカセウキに近い感度となる。その後魚が付け餌をくわえると、魚の当たりが明確にでる。
また合わせの瞬間などは誘導式で対応できるので、本発明の重量と水中の移動抵抗はほとんどかからず鈍重感はない。
しばらく待って魚の当たりが無い場合、仕掛けを巻いて上げ、再度、コマセを詰めて投げるまたは振り込み直す。
その他、ネット自体が軽量であるので、小型軽量である。
よってその分だけ魚の引き込みに違和感をあたえず魚のくい込みがよくなり、そして魚の引き、放した時の戻りが明確となりその結果レスポンスがよくなり魚の当たりがとりやすくなった。
しかも構造が簡単であるので故障はすくない。
本発明の端糸２本をスナップ付スイベル（１４）などに揃えて結ぶ使用方法の他に、２本の端糸の先端に予め係留部を形成しておいても良い。【００１３】  請求項２では、図３、図４、に示すように、
折り曲げたバー（５）を、ウキ本体（１）にネットを取り付けた状態で折り曲がった曲線部分がネットの奥側に触れるようにウキ本体（１）に取り付ける、そして折り曲げたバー（５）の端に糸通しガイド部（１１）を形成する、またネット（２）に折り曲げたバー（５）を取り付ける、それはネット（２）の網目を通し、またはネット（２）に絡めて付けた、そしてネット（２）に付けた端糸（３）を糸通しガイド部（１１）に通した。
折り曲げたバー（５）は網目を通しても、またはネット（２）に絡めて付けても効果は同じである。【００１４】    折り曲げたバー（５）は直径０．８ミリの鋼線材を曲げて加工し熱処理後にメッキして使用しました。尚、ステンレス材であればメッキの必要はありません。
またこれも型枠となればよいので太さ材質はこの限りではありません。
折り曲げたバー（５）をウキ本体（１）に取り付けるには、ウキ本体（１）または取り付け具（６）またはリング状に形成した取り付け具（９）に、穴を開け挿入し接着材で固定した。他には金具を用いてビス止めしても良い。ただし取り付け方法はこれに限定されない。【００１５】  折り曲げたバー（５）の糸通しのガイド部（１１）の形成は、以下に示す、
糸通しのガイド部（１１）の目的は端糸（３）を通し、それに負担をかけず前後すればよいのでリング型、四角型、楕円型、などで形状、材質は問わない。
ここでガイド部をリング形状とした例をあげる。
図１９に示すように、折り曲げたバー（５）は端を折り曲げて糸で絡めてリングを形成した。
図２０に示すように、別付けでは、生産効率のよいもので、円筒管付のリング（２２）を挿入し接着材で固定した。
その他には、柄付のリングを糸で絡めて、接着材で補強した。
ワイヤー、または張りのある糸を丸め、糸で絡めて、接着剤で補強した。
別付けのリングの材質は主に金属製であるが、強度があれば合成樹脂製でも良い。【００１６】  請求項２は以上の構造で、この作用を説明すると、図３、図４、図１７、図１８に示すように、使用方法は  請求項１と同じ仕掛けを使用して道糸に通したスナップ付スイベル（１４）に本発明の端糸２本を揃えて結び付けておこなうので、重複する部分の説明を省き述べます。
請求項１では本発明の全体を手のひらにあげて、端糸（３）を開いてネット（２）にコマセを詰めますが、使用に差支えない程度でネットが寄れることがあり、そのよれを直してからコマセを入れていた。そこで折り曲げたバー（５）を取り付けると、ネットがよれないので、よれを直す必要がなくなった。
また、折り曲げたバー（５）はコマセをネット内に入れる際に方枠となるので、ネット内の容積が一方向ですが大きくなるためコマセを詰めやすくなります。
また端糸（３）は、ガイド部（１１）によって緩めたり引いたりし易くなったので自由度が増してコマセがより詰めやすくなった。
水中の移動抵抗は、コマセ放出後折り曲げたバー（５）のみ少し出っ張っているが実用性に問題はなく、そのことによるウキ感度落ちは体感できなかった。【００１７】請求項３では、図５、図６、に示すように、
超弾性合金線のバー（４）を、ウキ本体（１）にネットを取り付けた状態でウキ本体（１）の奥まった側に取り付ける、そして超弾性合金線のバー（４）の端に糸通しガイド部（１１）を形成する、またネット（２）に超弾性合金線のバー（４）を取り付ける、それは、ネット（２）の網目を通し、またはネット（２）に絡めて付けた、そしてネット（２）に付けた端糸（３）を糸通しガイド部（１１）に通した。
尚、超弾性合金線のバー（４）は網目を通しても、またはネット（２）に絡めて付けても効果は同じである。
その材質は、超弾性合金線のバー（４）はニッケルとチタンの合金でリメンバロイの超弾性合金線を使用しました。試作品では直径０．３ミリを使用し柔らかく好結果がえられましたが、弾性力は材料の配合、製造過程の処理で変化するために、太さ材質はこの限りではありません。
超弾性合金線のバー（４）をウキ本体（１）に取り付けるには、ウキ本体（１）または取り付け具（６）またはリング状に形成した取り付け具（９）に、穴を開け挿入し接着材で固定した。その他、図３４に示すように超弾性合金線のバーの取り付け具（２８）を用いてビス止めしても良い。ただしこの取り付け方法に限定されない。【００１８】  糸通しのガイド部（１１）の形成は、以下に示す。
糸通しのガイド部（１１）の目的は端糸（３）を通し、それに負担をかけず前後すればよいのでリング型、四角型、楕円型、などで形状、材質は問わない。
ここでガイド部をリング形状とした例をあげる。
図１４に示すように、超弾性合金線のバー（４）の端を折り曲げ糸で絡めて、接着材で補強した。
その他には、図１３に示すように、柄付のリングを糸で絡めて、接着材で補強した。
また請求項２と同じように、別付けでは、生産効率のよいもので、円筒管付のリングを挿入し接着材で固定した。
ワイヤー、または張りのある糸を丸め、糸で絡めて、接着剤で補強した。
別付けのリングの材質は主に金属製であるが、強度があれば合成樹脂製でも良い。【００１９】請求項３は以上のような構造で、この作用を説明すると、図５、図６、図１６に示すように、使用方法は  請求項１と同じ仕掛けを使用し道糸に通したスナップ付スイベル（１４）に本発明の端糸２本を揃えて結び付けておこない作用も似ているので、重複する部分の説明を省き異なるところを述べます。
請求項１では本発明の全体を手のひらにあげて、端糸（３）を開いてネット（２）にコマセを詰めますが、超弾性合金線のバー（４）を付けると、請求項１と比べネット（２）に筋が一本はいっているのと同じでネットのよれを防ぎ形崩れの防止になりますので、コマセを詰める際の手返しが良くなります。そしてコマセを詰めていくうちに曲線となって折り曲がりコマセを追加して詰めることができます、
またコマセ放出後は直線のバーとなって弛んだネットを張る。そして上部ウキ止（１２）がシモリ玉（１３）を介してスナップ付スイベル（１４）に当たる状態ではネット（２）が真っ直ぐ伸びて尖った形状となって、水中移動抵抗が減り感度の良いウキとなって、魚が付け餌をくわえると、魚の当たりが明確にでる。
また端糸（３）は、ガイド部（１１）を通すことによって緩めたり引いたりできて自由度が増してコマセがより詰めやすくなった。【００２０】  請求項４では、図７、図８、図３１に示すように、
２本の端糸（３）のうち一本の端糸（３）の代わりに弾力線のバー（２７）を取り付け、弾力線のバー（２７）の端に糸通しガイド部（１１）を形成し、そこに端糸（３）を通した。
弾力線のバー（２７）の材質は、バネ用の鋼線、超弾性合金線、ロット製作に用いるカーボンまたはグラス繊維を含んだ合成樹脂、その他の合成繊維とした。
例を上げると
バネ用の鋼線で、バネ用ステンレス鋼線、硬鋼線、ピアノ線、で太さ０．３ミリ内外、またはカーボン、グラスなどをエポキシ樹脂で成形したもので太さ０．７ミリ内外、また超弾性合金線のバーで太さ０．５ミリ内外で製作した。
しかし上記したものは、製品の大、中、小で弾力性の異なった物が必要であるので材料の太さは一例である。
そして材料の配合及び材料の製造過程の処理によって変化するために、太さ材質はこの限りではありません。
作用を説明すると、
それは弾力線のバー（２７）によって筋が一本はいっているのと同じでネットのよれを防ぎ形崩れの防止になります。
仕掛けに取り付けるには、請求項１を取り付けた仕掛けのスナップ付スイベル（１４）に一本の端糸（３）を結び付けそして使用する。
コマセを詰める場合は、図２９の状態となるように、ウキ本体（１）を片手で持って、端糸（３）を開き、それからもう片方の手で弾力線のバー（２７）の端を摘みウキ本体（１）の方へ押す、そして弾力線のバー（２７）を外側に曲げて、そのままコマセ容器内にあるコマセを弾力線のバー（２７）の曲がっているほうですくいネットに詰める、
一回であまりすくえなければ、その動作を繰り返す、ネットに適度に詰まったら、弾力線のバー（２７）をそっと離し、端糸を外側に引く、端糸（３）は糸通しガイド部（１１）に通してあるので自由度があり、緩めたり引いたりするのは容易でありコマセは固定される、このコマセを詰める一連の動作は慣れると瞬時で行えてコマセを詰める際の手返しが良くなります。
またこの方法でコマセを詰めると、コマセによってほとんど手が汚れない。
またコマセ放出後に弾力線のバーは直線のバーとなって弛んだネットを張る。そして上部ウキ止（１２）がシモリ玉（１３）を介してスナップ付スイベル（１４）に当たる状態ではネット（２）が真っ直ぐ伸びて尖った形状となっているので、水中移動抵抗が減り感度の良いウキとなって、魚が付け餌をくわえると、魚の当たりが明確にでる。
弾力線のバー（２７）の取り付け方法は、請求項３の超弾性合金線のバー（４）と同様である。【００２１】  請求項５では、図９、図１０、図３２に示すように、
２本の端糸（３）の代わりに弾力線のバー（２７）を取り付け、その端を合わせて、そして係留部（２４）を形成した。
弾力線のバー（２７）の材質は、請求項４と同様である、またその取り付け方法は請求項３の超弾性合金線のバー（４）の取り付けと同様である。
このような構造で、それは弾力線のバー（２７）によって筋が２本はいっているのでネットのよれを防ぎ形崩れの防止になります。
仕掛けに取り付けるには、請求項１を取り付けた仕掛けのスナップ付スイベル（１４）に係留部（２４）を付けそして使用する。
コマセを詰める場合は、図２８の状態となるように、ウキ本体（１）を片手で持って、係留部（２４）をもう片方の手で摘みウキ本体（１）の方へ押す、そして弾力線のバー（２７）を外側に曲げて、そのままコマセ容器内にあるコマセを弾力線のバー（２７）の曲がった部分ですくいネットに詰める、一回であまりすくえなければ、その動作を繰り返す、ネットに適度に詰まったら、係留部（２４）からそっと手をはなすとコマセは固定される。このコマセを詰める一連の動作は慣れると一瞬で行えてコマセを詰める際の手返しが良くなります。
またこの方法でコマセを詰めると、コマセによってほとんど手が汚れない。
またコマセ放出後は弾力線のバーは弛んだネットを張る。この状態では弾力線のバー２本によってネット（２）が真っ直ぐ伸びてより尖った形状となって、水中移動抵抗が減り感度の良いウキとなって、魚が付け餌をくわえると、魚の当たりがより明確にでる。【００２２】    係留部（２４）の形成は、リング形状などを先端に付けた構造である。
例えば、図３０に示すように、弾力線のバー（２７）２本を合わせて、カン付円筒管（２６）に挿入接着した。
またその他の方法を箇条書きにして述べると、
イ、弾力線のバー（２７）２本を合わせて柄付きのリングに糸で絡め接着剤で補強した。
ロ、ワイヤーを折り返して丸めて、糸で絡めて接着材で固定した。
ハ、弾力線のバー（２７）２本を合わせて、カン付きウキゴムに、楊枝などと共に挿入固定する。
上記したように、係留部の形成は構造が簡単なため様々あります、これは実質的には、誘導式仕掛けの道糸に本発明の下部先端が付けばよく、主にリングの形状であったり単に穴だったりしても道糸伝いに本発明が動けばよいわけで、係留部の構造は問わない。【００２３】  弾力線のバー（２７）をウキ本体（１）に取り付ける際に、外側に向け取り付ける、または図３３に示すように交差して取り付けると、コマセを詰める際、弾力線のバー（２７）が開き易くなり、結果としてコマセが詰め易くなった。【００２４】  請求項１、請求項２、請求項３、請求項４とも予め端糸（３）を、カン付円筒管（２６）などに挿入接着して係留部を形成しておいても良い。他にも請求項５で述べた係留部の形成も応用できた。【００２５】  請求項６では、
従来では、ネット（２）のウキ本体（１）への取り付けは、ウキ本体（１）に直接取り付ける方法で代表的には、ウキ本体（１）の中心から下方部にかけてネット（２）を糸で巻いて接着、その後パテで化粧した。
ただしこの取り付け方法は、ウキ本体（１）にネット（２）を取り付けるのに、上手くいかず不良品が出来た。また熟練を要し製造が難しかったので、容易に製造する方法が必要だった。
そこで、図１１、図２３、図２５に示すように、
ウキ本体（１）と取り付け具を別体とし、そこにネット（２）を挟み合体させ固定した、それはウキ本体（１）の中心から下方部に凹部（７）を形成し、そしてそこに挿入する取り付け具（６）を形成し、そこにネット（２）を挟み合体させ固定した。
以上は凹部（７）の内径とネットの厚みの寸法を含めた取り付け具（６）の外径とした。
取り付け具（６）と、ウキ本体（１）の凹部（７）を合体する場合には、ネット（２）の端をつぼめ仮止し、取り付け具（６）に被せて、ウキ本体（１）の凹（７）と合体させ固定した。また接着剤又はビス止めで補強を兼ねて固定すると頑丈になる。そしてその両方を併用しても良い。
また、ウキ本体（１）の凹部（７）の内部に、ネットの端をつぼめ仮止とした部分を想定して、その大きさに合わせた凹を設けた。
このようにするとネットの端をつぼめ仮止とした部分がそこに入り、ウキ本体（１）の凹部（７）と、取り付け具（６）が上手く合体できた。
その他、ウキ本体（１）の凹部（７）内に端糸（３）をあらかじめ取り付けておき、取り付け具（６）とネット（２）を共に合体させると仕上がりも良く、端糸（３）が丈夫になった。【００２６】  請求項７では、もう一つの製造方法で、図１２、図２４、図３５に示すように、
ウキ本体（１）の中心から下方部に凸部（１０）を形成し、そしてリング状取り付け具（９）を形成し、そこにネット（２）を挟み合体させ固定した。
以上は凸部（１０）の外径とネットの厚みを含めた寸法をリング状取り付け具（９）の内径とした。
実施例では、ウキ本体（１）の中心から下方部に凸部（１０）を形成したものに、ネット（２）の端をつぼめ仮止めし、ウキ本体（１）の上方より被せ、リング状の取り付け具（９）を下方より合体させ挟み固定し、そして不必要なネットはカットした。この方法では、ネット固定前によれを直すことが容易であった。
この場合も、接着剤又はビス止めで補強を兼ねて固定すると頑丈になる。そしてその両方を併用しても良い。
その他、ウキ本体（１）の凸部（１０）のリング状取り付け具（９）をはめ込む部分に端糸（３）をあらかじめ取り付けておき、リング状取り付け具（９）とネット（２）を共に合体させると仕上がりも良く、端糸（３）が丈夫になった。
以上、請求項６、請求項７のような製造方法とすると、難しい工程が簡単になり製造能力がアップし不良品が減った。【００２７】  リング状取り付け具（９）、取り付け具（６）の材質は、木製、合成樹脂製、発泡樹脂製、または浮力調節を兼ねて金属製で製作したが、材質はこれに限定されない。【００２８】請求項６、請求項７の発明とも、この製造方法は本発明を含み、特許出願番号、特願２００４−２８０６０１のダンゴ遠投ウキ１の他にも、ウキにネットを付帯し組み合わせる場合に使用できる。
【図面の簡単な説明】
【００２９】
【図１】  本発明、請求項１の正面図
【図２】  本発明、請求項１の側面図
【図３】  本発明、請求項２の正面図
【図４】  本発明、請求項２の側面図
【図５】  本発明、請求項３の正面図
【図６】  本発明、請求項３の側面図
【図７】  本発明、請求項４の正面図
【図８】  本発明、請求項４の側面図
【図９】  本発明、請求項５の正面図
【図１０】  本発明、請求項５の側面図
【図１１】  本発明、請求項６のウキ本体の凹部に、取り付け具を合体させる、ネットの取り付け方法を示す説明図
【図１２】  本発明、請求項７のウキ本体の凸に、リング状取り付け具を合体させる、ネットの取り付け方法を示す説明図
【図１３】  本発明の実施例、柄付のリングを糸で絡めた部分の正面図
【図１４】  本発明の実施例、超弾性合金線のバーの端を折り曲げ糸で絡めたリングの正面図
【図１５】  本発明の実施例、請求項１のコマセをネットに詰めた斜視図
【図１６】  本発明の実施例、請求項３の超弾性合金線のバーを取り付けコマセをネットに詰めた側面図
【図１７】  本発明の実施例、請求項２の折り曲げたバーを取り付けコマセをネットに詰めた側面図
【図１８】  本発明の実施例、請求項２の折り曲げたバーを取り付け、コマセをネットに詰めた状態の仕掛けを示す側面図
【図１９】  本発明の実施例、折り曲げたバーの端を折り曲げてリングを形成した正面図
【図２０】  本発明の実施例、円筒管付のリングを挿入し接着材で固定した部分の斜視図
【図２１】  本発明の実施例、ネットを織って隙間を作りそこに端糸を通した側面図
【図２２】  本発明の実施例、端糸を交差して取り付けた正面図
【図２３】  本発明、請求項６の実施例、ウキ本体の凹部に、取り付け具を合体させる、ネットの取り付け方法を示す正面図
【図２４】  本発明、請求項７実施例、ウキ本体の凸に、リング状取り付け具を合体させる、ネットの取り付け方法を示す正面図
【図２５】  本発明、請求項６の実施例ウキ本体の凹部に、取り付け具を合体させる、ネットの取り付け方法を示す側面図
【図２６】  本発明の実施例、請求項１を仕掛けに取り付けた側面図
【図２７】  本発明の実施例、棒ウキの側面図
【図２８】  本発明、請求項５の実施例、左右の弾力線のバーを開きコマセを詰める準備をした状態を示す正面図
【図２９】  本発明、請求項４の実施例、弾力線のバーを開きコマセを詰める準備をした状態を示す正面図
【図３０】  本発明、請求項５の実施例、弾力線のバー２本を合わせて、カン付円筒管に挿入接着した正面図
【図３１】  本発明、請求項４の実施例、コマセを詰めた状態を示す斜視図
【図３２】  本発明、請求項５の実施例、コマセを詰めた状態を示す斜視図
【図３３】  本発明、請求項５の実施例、弾力線のバーを交差して取り付けた正面図
【図３４】  本発明の実施例、請求項３の超弾性合金線のバーを、取り付け具を用いてビス止めした側面図
【図３５】  本発明、請求項７実施例、ウキ本体の凸に、リング状取り付け具を合体させる、ネットの取り付け方法を示す側面図
【符号の説明】
【００３０】１ウキ本体、２ネット、３端糸、４超弾性合金線のバー、５折り曲げたバー、６取り付け具、７ウキ本体の凹部、８コマセ、９リング状取り付け具、１０ウキ本体の凸部、１１糸通しガイド部、１２上部ウキ止、１３シモリ玉、１４スナップ付きスイベル、１５より戻し、１６錘、１７釣針、１８ハリス、１９下部ウキ止め、２０不必要なネット部、２１棒ウキ、２２円筒管付のリング、２３折り曲げて形成したリング、２４係留部、２５ビス  ２６カン付円筒管、２７弾力線のバー、２８超弾性合金線のバーの取り付け具
【図１】
2006034283.tif 000003
【図２】
2006034283.tif 000004
【図３】
2006034283.tif 000005
【図４】
2006034283.tif 000006
【図５】
2006034283.tif 000007
【図６】
2006034283.tif 000008
【図７】
2006034283.tif 000009
【図８】
2006034283.tif 000010
【図９】
2006034283.tif 000011
【図１０】
2006034283.tif 000012
【図１１】
2006034283.tif 000013
【図１２】
2006034283.tif 000014
【図１３】
2006034283.tif 000015
【図１４】
2006034283.tif 000016
【図１５】
2006034283.tif 000017
【図１６】
2006034283.tif 000018
【図１７】
2006034283.tif 000019
【図１８】
2006034283.tif 000020
【図１９】
2006034283.tif 000021
【図２０】
2006034283.tif 000022
【図２１】
2006034283.tif 000023
【図２２】
2006034283.tif 000024
【図２３】
2006034283.tif 000025
【図２４】
2006034283.tif 000026
【図２５】
2006034283.tif 000027
【図２６】
2006034283.tif 000028
【図２７】
2006034283.tif 000029
【図２８】
2006034283.tif 000030
【図２９】
2006034283.tif 000031
【図３０】
2006034283.tif 000032
【図３１】
2006034283.tif 000033
【図３２】
2006034283.tif 000034
【図３３】
2006034283.tif 000035
【図３４】
2006034283.tif 000036
【図３５】
2006034283.tif 000037